(57)【要約】【課題】過去に撮影した被写体と同じ現在の被写体とをリアルタイムで比較することができる撮像装置、表示方法およびプログラムを提供する。【解決手段】撮像装置１は、表示部１９が表示するライブビュー画像内の被写体を特定する被写体特定部１０２と、記録媒体２２が記録する複数の撮影画像データの中から被写体特定部１０２が特定した被写体が撮像された撮影画像データを一つ以上取得する画像データ取得部１０３と、表示部１９の表示領域を複数の領域に分割し、この複数の領域の一つにライブビュー画像を表示させるとともに、残りの領域に画像データ取得部１０３が取得した撮影画像データに対応する撮影画像を表示させる表示制御部２７２と、を備える。【選択図】図２
2015037219.tif 000002
【特許請求の範囲】
【請求項１】
被写体を撮像し、該被写体の画像データを連続的に生成可能な撮像部と、
前記撮像部が順次生成した前記画像データに対応するライブビュー画像を時系列に沿って表示可能な表示部と、
少なくとも前記被写体を撮像した複数の撮影画像データを記録する記録部と、
前記表示部が表示する前記ライブビュー画像内の前記被写体を特定する被写体特定部と、
前記記録部が記録する前記複数の撮影画像データの中から前記被写体特定部が特定した前記被写体が撮像された前記撮影画像データを一つ以上取得する画像データ取得部と、
前記表示部の表示領域を複数の領域に分割し、該複数の領域の一つに前記ライブビュー画像を表示させるとともに、残りの領域に前記画像データ取得部が取得した前記撮影画像データに対応する撮影画像を表示させる表示制御部と、
を備えたことを特徴とする撮像装置。
【請求項２】
前記画像データ取得部が取得した前記撮影画像データに対応する撮影画像の中から画像を選択する指示信号の入力を受け付ける入力部をさらに備え、
前記表示制御部は、前記入力部を介して選択された前記撮影画像データに対応する撮影画像の数に、前記ライブビュー画像を加算した値だけ前記表示部の表示領域を分割することを特徴とする請求項１に記載の撮像装置。
【請求項３】
前記表示制御部は、前記表示部の表示領域を所定の間隔で分割することを特徴とする請求項１または２に記載の撮像装置。
【請求項４】
前記表示制御部は、前記表示部の表示領域における幅方向の長さを均等に分割することを特徴とする請求項１〜３のいずれか一つに記載の撮像装置。
【請求項５】
前記表示制御部は、前記表示部の表示領域における幅方向の長さを段階的に長くして分割することを特徴とする請求項１〜３のいずれか一つに記載の撮像装置。
【請求項６】
前記画像データ取得部が取得した前記撮影画像データに対応する撮影画像内から前記被写体特定部が特定した前記被写体を含む領域を切り出してトリミング画像データを生成するトリミング部をさらに備え、
前記表示制御部は、前記トリミング部が生成した前記トリミング画像データに対応するトリミング画像を前記残りの領域に表示させることを特徴とする請求項１〜５のいずれか一つに記載の撮像装置。
【請求項７】
当該撮像装置に撮影を指示する撮影信号の入力を受け付けるレリーズスイッチと、
前記表示部が前記ライブビュー画像および前記トリミング画像を表示している場合において、前記レリーズスイッチから前記撮影信号が入力されたとき、前記ライブビュー画像および前記トリミング画像を並べて合成した合成画像データを生成する画像合成部と、
をさらに備えたことを特徴とする請求項６に記載の撮像装置。
【請求項８】
前記撮影画像内の前記被写体の顔を検出する顔検出部と、
前記顔検出部が検出した前記被写体の顔の表示領域に応じて、前記トリミング画像を拡大または縮小する拡大縮小部と、
をさらに備え、
前記表示制御部は、前記拡大縮小部が拡大または縮小した前記トリミング画像を前記残りの領域に表示させることを特徴とする請求項６または７に記載の撮像装置。
【請求項９】
少なくとも前記被写体の誕生日データを記録する個人情報記録部と、
前記個人情報記録部が記録する前記誕生日データを参照して、前記被写体特定部が特定した前記被写体の現在の年齢を推定する年齢推定部と、
前記顔検出部が検出した前記被写体の顔の表示領域および前記年齢推定部が推定した年齢に基づいて、前記撮影画像内に前記被写体の全身があるか否かを判定する身体判定部と、
をさらに備え、
前記トリミング部は、前記身体判定部が前記撮影画像内に前記被写体の前記全身があると判定した場合、前記撮影画像内から前記被写体を含む領域を切り出して前記トリミング画像データを生成することを特徴とする請求項８に記載の撮像装置。
【請求項１０】
前記表示制御部は、前記ライブビュー画像内における前記被写体に対して所定の姿勢をガイドする情報を前記ライブビュー画像上に重畳して前記表示部に表示させることを特徴とする請求項６〜９のいずれか一つに記載の撮像装置。
【請求項１１】
当該撮像装置の位置を取得する位置取得部をさらに備え、
前記撮影画像データは、前記撮像部によって生成された前記画像データであり、
前記記録部は、前記画像データと該画像データが生成された際に前記位置取得部が取得した位置情報とを対応付けて記録し、
前記画像データ取得部は、前記記録部から前記位置情報が一致する前記画像データを優先的に取得することを特徴とする請求項６〜１０のいずれか一つに記載の撮像装置。
【請求項１２】
前記撮影画像データは、前記撮像部によって生成された前記画像データであり、
前記記録部が、前記画像データと該画像データが生成された際の日時データとを対応付けて記録し、
前記画像データ取得部は、前記記録部から前記日時データが異なる前記画像データを優先的に取得することを特徴とする請求項６〜１０のいずれか一つに記載の撮像装置。
【請求項１３】
被写体を撮像し、該被写体の画像データを連続的に生成可能な撮像部と、前記撮像部が順次生成した前記画像データに対応するライブビュー画像を時系列に沿って表示可能な表示部と、を備えた撮像装置が実行する表示方法であって、
前記表示部が表示する前記ライブビュー画像内の前記被写体を特定する被写体特定ステップと、
少なくとも前記被写体を撮像した複数の撮影画像データを記録する記録部が記録する前記複数の撮影画像データの中から前記被写体特定ステップで特定した前記被写体が撮像された前記撮影画像データを一つ以上取得する画像データ取得ステップと、
前記表示部の表示領域を複数の領域に分割し、該複数の領域の一つに前記ライブビュー画像を表示させるとともに、残りの領域に前記画像データ取得ステップで取得した前記撮影画像データに対応する撮影画像を表示させる表示制御ステップと、
を含むことを特徴とする表示方法。
【請求項１４】
被写体を撮像し、該被写体の画像データを連続的に生成可能な撮像部と、前記撮像部が順次生成した前記画像データに対応するライブビュー画像を時系列に沿って表示可能な表示部と、を備えた撮像装置に、
前記表示部が表示する前記ライブビュー画像内の前記被写体を特定する被写体特定ステップと、
少なくとも前記被写体を撮像した複数の撮影画像データを記録する記録部が記録する前記複数の撮影画像データの中から前記被写体特定ステップで特定した前記被写体が撮像された前記撮影画像データを一つ以上取得する画像データ取得ステップと、
前記表示部の表示領域を複数の領域に分割し、該複数の領域の一つに前記ライブビュー画像を表示させるとともに、残りの領域に前記画像データ取得ステップで取得した前記撮影画像データに対応する撮影画像を表示させる表示制御ステップと、
を実行させることを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
従来、デジタルカメラ等の撮像装置で撮像した複数の画像データをパーソナルコンピュータ等の画像処理装置で管理している。このような画像処理装置において、複数の画像データの中から、異なる日時に撮影した同じ被写体の子供の画像データを複数選択し、時系列に沿って並べて一覧表示することによって、子供の成長を比較可能な技術が知られている（特許文献１参照）。
【先行技術文献】
【特許文献】
【０００３】
【特許文献１】特開２００９−２４６７１０号公報
【発明の概要】
【発明が解決しようとする課題】
【０００４】
しかしながら、上述した特許文献１では、画像処理装置に記録した複数の画像データの中からしか選択することができないため、過去に撮影した被写体と現在の被写体とを比較することができなかった。このため、過去に撮影した被写体と同じ現在の被写体とを比較することができる技術が望まれていた。
【０００５】
本発明は、上記に鑑みてなされたものであって、過去に撮影した被写体と同じ現在の被写体とをリアルタイムで比較することができる撮像装置、表示方法およびプログラムを提供することを目的とする。
【課題を解決するための手段】
【０００６】
上述した課題を解決し、目的を達成するために、本発明にかかる撮像装置は、被写体を撮像し、該被写体の画像データを連続的に生成可能な撮像部と、前記撮像部が順次生成した前記画像データに対応するライブビュー画像を時系列に沿って表示可能な表示部と、少なくとも前記被写体を撮像した複数の撮影画像データを記録する記録部と、前記表示部が表示する前記ライブビュー画像内の被写体を特定する被写体特定部と、前記記録部が記録する前記複数の撮影画像データの中から前記被写体特定部が特定した前記被写体が撮像された前記撮影画像データを一つ以上取得する画像データ取得部と、前記表示部の表示領域を複数の領域に分割し、該複数の領域の一つに前記ライブビュー画像を表示させるとともに、残りの領域に前記画像データ取得部が取得した前記撮影画像データに対応する撮影画像を表示させる表示制御部と、を備えたことを特徴とする。
【０００７】
また、本発明にかかる撮像装置は、上記発明において、前記画像データ取得部が取得した前記撮影画像データに対応する撮影画像の中から画像を選択する指示信号の入力を受け付ける入力部をさらに備え、前記表示制御部は、前記入力部を介して選択された前記撮影画像データに対応する撮影画像の数に、前記ライブビュー画像を加算した値になるように前記表示部の表示領域を分割することを特徴とする。
【０００８】
また、本発明にかかる撮像装置は、上記発明において、前記表示制御部は、前記表示部の表示領域を所定の間隔で分割することを特徴とする。
【０００９】
また、本発明にかかる撮像装置は、上記発明において、前記表示制御部は、前記表示部の表示領域における幅方向の長さを均等に分割することを特徴とする。
【００１０】
また、本発明にかかる撮像装置は、上記発明において、前記表示制御部は、前記表示部の表示領域における幅方向の長さを段階的に長くなるように分割することを特徴とする。
【００１１】
また、本発明にかかる撮像装置は、上記発明において、前記画像データ取得部が取得した前記撮影画像データに対応する撮影画像内から前記被写体特定部が特定した前記被写体を含む領域を切り出してトリミング画像データを生成するトリミング部をさらに備え、前記表示制御部は、前記トリミング部が生成した前記トリミング画像データに対応するトリミング画像を前記残りの領域に表示させることを特徴とする。
【００１２】
また、本発明にかかる撮像装置は、上記発明において、当該撮像装置に撮影を指示する撮影信号の入力を受け付けるレリーズスイッチと、前記表示部が前記ライブビュー画像および前記トリミング画像を表示している場合において、前記レリーズスイッチから前記撮影信号が入力されたとき、前記ライブビュー画像および前記トリミング画像を並べて合成した合成画像データを生成する合成画像生成部と、をさらに備えたことを特徴とする。
【００１３】
また、本発明にかかる撮像装置は、上記発明において、前記撮影画像内の前記被写体の顔を検出する顔検出部と、前記顔検出部が検出した前記被写体の顔の表示領域に応じて、前記トリミング画像を拡大または縮小する拡大縮小部と、をさらに備え、前記表示制御部は、前記拡大縮小部が拡大または縮小した前記トリミング画像を前記残りの領域に表示させることを特徴とする。
【００１４】
また、本発明にかかる撮像装置は、上記発明において、少なくとも前記被写体の誕生日データを記録する個人情報記録部と、前記個人情報記録部が記録する前記誕生日データを参照して、前記被写体特定部が特定した前記被写体の現在の年齢を推定する年齢推定部と、前記顔検出部が検出した前記被写体の顔の表示領域および前記年齢推定部が推定した年齢に基づいて、前記撮影画像内に前記被写体の全身があるか否かを判定する身体判定部と、をさらに備え、前記トリミング部は、前記身体判定部が前記撮影画像内に前記被写体の前記全身があると判定した場合、前記撮影画像内から前記被写体を含む領域を切り出して前記トリミング画像データを生成することを特徴とする。
【００１５】
また、本発明にかかる撮像装置は、上記発明において、前記表示制御部は、前記ライブビュー画像内における前記被写体に対して所定の姿勢をガイドする情報を前記ライブビュー画像上に重畳して前記表示部に表示させることを特徴とする。
【００１６】
また、本発明にかかる撮像装置は、上記発明において、当該撮像装置の位置を取得する位置取得部をさらに備え、前記撮影画像データは、前記撮像部によって生成された前記画像データであり、前記記録部は、前記画像データと該画像データが生成された際に前記位置取得部が取得した位置情報とを対応付けて記録し、前記画像データ取得部は、前記記録部から前記位置情報が一致する前記画像データを優先的に取得することを特徴とする。
【００１７】
また、本発明にかかる撮像装置は、上記発明において、前記撮影画像データは、前記撮像部によって生成された前記画像データであり、前記記録部が、前記画像データと該画像データが生成された際の日時データとを対応付けて記録し、前記画像データ取得部は、前記記録部から前記日時データが異なる前記画像データを優先的に取得することを特徴とする。
【００１８】
また、本発明にかかる表示方法は、被写体を撮像し、該被写体の画像データを連続的に生成可能な撮像部と、前記撮像部が順次生成した前記画像データに対応するライブビュー画像を時系列に沿って表示可能な表示部と、を備えた撮像装置が実行する表示方法であって、前記表示部が表示する前記ライブビュー画像内の前記被写体を特定する被写体特定ステップと、少なくとも前記被写体を撮像した複数の撮影画像データを記録する記録部が記録する前記複数の撮影画像データの中から前記被写体特定ステップで特定した前記被写体が撮像された前記撮影画像データを一つ以上取得する画像データ取得ステップと、前記表示部の表示領域を複数の領域に分割し、該複数の領域の一つに前記ライブビュー画像を表示させるとともに、残りの領域に前記画像データ取得ステップで取得した前記撮影画像データに対応する撮影画像を表示させる表示制御ステップと、を含むことを特徴とする。
【００１９】
また、本発明にかかるプログラムは、被写体を撮像し、該被写体の画像データを連続的に生成可能な撮像部と、前記撮像部が順次生成した前記画像データに対応するライブビュー画像を時系列に沿って表示可能な表示部と、を備えた撮像装置に、記表示部が表示する前記ライブビュー画像内の前記被写体を特定する被写体特定ステップと、少なくとも前記被写体を撮像した複数の撮影画像データを記録する記録部が記録する前記複数の撮影画像データの中から前記被写体特定ステップで特定した前記被写体が撮像された前記撮影画像データを一つ以上取得する画像データ取得ステップと、前記表示部の表示領域を複数の領域に分割し、該複数の領域の一つに前記ライブビュー画像を表示させるとともに、残りの領域に前記画像データ取得ステップで取得した前記撮影画像データに対応する撮影画像を表示させる表示制御ステップと、を実行させることを特徴とする。
【発明の効果】
【００２０】
本発明によれば、過去に撮影した被写体と同じ現在の被写体とを比較することができるという効果を奏する。
【図面の簡単な説明】
【００２１】
【図１】図１は、本発明の一実施の形態にかかる撮像システムの構成を模式的に示す概略図である。
【図２】図２は、本発明の一実施の形態にかかる撮像装置の機能構成を示すブロック図である。
【図３】図３は、本発明の一実施の形態にかかる撮像装置の記録媒体が記録する画像ファイルの構成の一例を示す模式図である。
【図４】図４は、本発明の一実施の形態にかかるサーバの機能構成を示すブロック図である。
【図５】図５は、本発明の一実施の形態にかかる撮像装置が実行する処理の概要を示すフローチャートである。
【図６】図６は、撮影者が撮像装置を用いて撮影する際の状況を模式的に示す図である。
【図７】図７は、図５のステップＳ１０５の被写体画像選択処理の概要を示したフローチャートである。
【図８】図８は、本発明の一実施の形態にかかる撮像装置の身体判定部による被写体の身体の判定方法の概要を示す模式図である。
【図９】図９は、本発明の一実施の形態にかかる撮像装置の身体判定部による被写体の身体の別の判定方法の概要を示す模式図である。
【図１０】図１０は、本発明の一実施の形態にかかる撮像装置の身体判定部による被写体の全身を検出できない際の状況を示す図である。
【図１１】図１１は、本発明の一実施の形態にかかる撮像装置の身体判定部による被写体としての赤ちゃんの全身を判定する判定方法であり、赤ちゃんがおくるみに包まれている際の判定方法の概要を示す模式図である。
【図１２】図１２は、本発明の一実施の形態にかかる撮像装置の身体判定部による被写体としての赤ちゃんの全身を判定する本体方法であり、赤ちゃんが横向きに抱っこされている際の判定方法の概要を示す模式図である。
【図１３】図１３は、本発明の一実施の形態にかかる撮像装置の身体判定部による被写体としての赤ちゃんの全身を判定する判定方法であり、赤ちゃんが正面を向いて抱っこされている際の判定方法の概要を示す模式図である。
【図１４】図１４は、本発明の一実施の形態にかかる撮像装置の身体判定部による被写体としての赤ちゃんの全身を判定する判定方法であり、赤ちゃんが横向きにハイハイしている際の判定方法の概要を示す模式図である。
【図１５】図１５は、本発明の一実施の形態にかかる撮像装置の身体判定部による被写体としての赤ちゃんの全身を判定方法であり、赤ちゃんが正面にハイハイしている際の判定方法の概要を示す模式図である。
【図１６】図１６は、図５のステップＳ１０９の合成対象画像位置・拡大率設定処理の概要を示すフローチャートである。
【図１７】図１７は、本発明の一実施の形態にかかる撮像装置の表示部が表示する画像の一例を示す図である。
【図１８】図１８は、本発明の一実施の形態にかかる撮像装置の表示部が表示する画像の一例を示す図である。
【図１９】図１９は、本発明の一実施の形態にかかる撮像装置の表示部が表示する画像の一例を示す図である。
【図２０】図２０は、本発明の一実施の形態にかかる撮像装置が生成した合成画像の一例を示す図である。
【図２１】図２１は、本発明の別の一実施の形態にかかる撮像装置が生成した合成画像の一例を示す図である。
【図２２】図２２は、本発明の別の一実施の形態にかかる撮像装置が生成した合成画像の一例を示す図である。
【発明を実施するための形態】
【００２２】
以下、本発明の実施の形態（以下、「実施の形態」という）について説明する。なお、以下の実施の形態により本発明が限定されるものではない。また、以下において、同一の構成には同一の符号を付して説明する。
【００２３】
図１は、本発明の一実施の形態にかかる撮像システムの構成を模式的に示す概略図である。図１に示す画像生成システム１００は、ネットワークＮを介して画像データを含む画像ファイルを外部に送信可能な撮像装置１と、ネットワークＮを介して撮像装置１または携帯機器あるいは電子機器から送信された画像ファイルを受信するとともに、ネットワークＮを介してアクセスされた機器に対して画像ファイルまたは音声データや動画データを含むコンテンツデータ等の情報を送信するサーバ２００と、を備える。
【００２４】
まず、撮像装置１の構成について説明する。図２は、撮像装置１の機能構成を示すブロック図である。図２に示す撮像装置１は、本体部２と、本体部２に着脱自在であり、所定の視野領域から光を集光するレンズ部３と、を備える。
【００２５】
本体部２は、シャッタ４と、シャッタ駆動部５と、撮像素子６と、撮像素子駆動部７と、信号処理部８と、Ａ／Ｄ変換部９と、画像処理部１０と、ＡＥ処理部１１と、ＡＦ処理部１２と、画像圧縮展開部１３と、時計１４と、位置取得部１５と、外部通信部１６と、状態検出部１７と、入力部１８と、表示部１９と、表示駆動部２０と、メモリＩ／Ｆ２１と、記録媒体２２と、ＳＤＲＡＭ２３と、Ｆｌａｓｈメモリ２４と、本体通信部２５と、バス２６と、制御部２７と、を備える。
【００２６】
シャッタ４は、レンズ部３を介して撮像素子６へ入射する光の露光状態または遮光状態に設定する。シャッタ４は、フォーカルプレーンシャッタ等の機械式のシャッタを用いて構成される。
【００２７】
シャッタ駆動部５は、制御部２７の制御のもと、シャッタ４を駆動する。シャッタ駆動部５は、ボイスコイルモータやステッピングモータ等を用いて構成される。
【００２８】
撮像素子６は、レンズ部３によって集光された光を受光して光電変換を行うことによって電気信号（画像データ）を連続的に生成し、この生成した画像データを信号処理部８へ出力する。撮像素子６は、光量に応じた電荷を蓄積するフォトダイオードおよびフォトダイオードが蓄積した電荷を増幅する増幅器をそれぞれ有する複数の画素が２次元状に配列されたＣＣＤ（Charge  Coupled  Device）やＣＭＯＳ（Complementary  Metal  Oxide  Semiconductor）等を用いて構成される。
【００２９】
撮像素子駆動部７は、制御部２７の制御のもと、所定のタイミングで撮像素子６に画像データを信号処理部８へ出力させる。この意味で、撮像素子駆動部７は、電子シャッタとして機能する。また、撮像素子駆動部７は、制御部２７の制御のもと、撮像素子６に対して、露光時間の対応する所定のフレームレート（たとえば３０ｆｐｓまたは６０ｆｐｓ）で画像データを出力させる。さらに、撮像素子駆動部７は、制御部２７の制御のもと、動画撮影時またはライブビュー動作時に、撮像素子６の所定のライン、たとえば偶数ラインや奇数ラインを間引くことで、撮像素子６に高速フレームレート（たとえば１２０ｆｐｓ）で画像データを信号処理部８へ出力させる。なお、本発明では、撮像素子６、撮像素子駆動部７およびレンズ部３が撮像部として機能する。
【００３０】
信号処理部８は、制御部２７の制御のもと、撮像素子６から入力される画像データに対して、アナログ処理を施してＡ／Ｄ変換部９に出力する。具体的には、信号処理部８は、画像データに対して、ノイズ低減処理およびゲインアップ処理等を行う。
【００３１】
Ａ／Ｄ変換部９は、信号処理部８から入力されるアナログ信号の画像データに対してＡ／Ｄ変換を行うことによって、デジタルの画像データ（ＲＡＷデータ）に変換し、バス２６を介してＳＤＲＡＭ２３に出力する。
【００３２】
画像処理部１０は、バス２６を介してＳＤＲＡＭ２３から画像データをフレーム毎に取得し、取得した画像データ（ＲＡＷデータ）に対して、各種の画像処理を行って処理済みの画像データを生成する（現像処理）。この処理済みの画像データは、バス２６を介してＳＤＲＡＭ２３に出力される。具体的には、画像処理部１０は、画像データに対して、少なくとも、黒出力を補正する、オプティカルブラック（ＯＢ）減算処理、画像データの色味を調整するホワイトバランス（ＷＢ）調整処理、カラーマトリクス演算処理、ガンマ補正処理、色再現処理およびエッジ強調処理等を含む、撮影画像を生成する上で、基本の画像処理を行う。なお、画像処理部１０は、撮像素子６がベイヤー配列の場合には画像データの同時化処理を行う。また、画像処理部１０は、画像処理エンジンを用いて構成される。
【００３３】
ここで、画像処理部１０の詳細な構成について説明する。画像処理部１０は、顔検出部１０１と、被写体特定部１０２と、画像データ取得部１０３と、年齢推定部１０４と、身体判定部１０５と、トリミング部１０６と、拡大縮小部１０７と、位置調整部１０８と、画像合成部１０９と、を有する。
【００３４】
顔検出部１０１は、後述するＦｌａｓｈメモリ２４の顔情報記録部２４２が記録する顔情報を参照して、画像データに対応する画像に含まれる人物の顔をパターンマッチングによって検出する。具体的には、顔検出部１０１は、パターンマッチングを用いて画像中の顔の位置を検出後、目、鼻および口等の顔の特徴点となる位置を検出することによって、顔の位置、顔の大きさ（領域）、顔の向きおよび顔の角度（傾き）等を検出する。なお、顔検出部１０１は、人物の顔だけでなく、犬や猫等の動物の顔を検出してもよい。さらに、顔検出部１０１は、パターンマッチング以外の周知技術を用いて人物の顔を検出してもよい。
【００３５】
被写体特定部１０２は、表示部１９が表示するライブビュー画像内の被写体を特定する。具体的には、被写体特定部１０２は、後述するＦｌａｓｈメモリ２４の個人情報記録部２４３に記録された個人情報に含まれる特徴点と顔検出部１０１が検出した顔の特徴点とに基づいて、ライブビュー画像内の被写体を特定する。
【００３６】
画像データ取得部１０３は、記録媒体２２が記録する複数の画像データの中から被写体特定部１０２によって特定された被写体が撮像された撮影画像データを取得する。具体的には、画像データ取得部１０３は、記録媒体２２に記録された複数の画像ファイルそれぞれのメタ情報に含まれる特徴点に基づいて、被写体特定部１０２によって特定された被写体が撮像された撮影画像データを取得する。また、画像データ取得部１０３は、記録媒体２２に被写体特定部１０２によって特定された被写体が撮像された撮影画像データがない場合、バス２６および外部通信部１６を介してサーバ２００から被写体特定部１０２によって特定された被写体が撮像された撮影画像データを取得する。
【００３７】
年齢推定部１０４は、被写体特定部１０２が特定した被写体の年齢を推定する。具体的には、年齢推定部１０４は、後述するＦｌａｓｈメモリ２４の個人情報記録部２４３に記録された個人情報に含まれる被写体の誕生日データを参照して、被写体特定部１０２が特定した被写体の年齢を推定する。なお、年齢推定部１０４は、顔検出部１０１が検出した目、鼻および口等の顔の特徴点等に基づいて、被写体特定部１０２が特定した被写体の年齢を推定してもよい。
【００３８】
身体判定部１０５は、顔検出部１０１が検出した被写体の顔の大きさと、年齢推定部１０４が推定した被写体の年齢とに基づいて、撮像画像内に被写体の全身があるか否かを判定する。具体的には、身体判定部１０５は、顔検出部１０１が検出した被写体の顔の大きさを基準に、年齢推定部１０４が推定した被写体の年齢に応じた人体比率、たとえば４歳で５頭身であるか否かを判定する。
【００３９】
トリミング部１０６は、画像データ取得部１０３が取得した撮影画像データに対応する撮影画像内から被写体特定部１０２が特定した被写体を含む領域を切り出してトリミング画像データを生成する。また、トリミング部１０６は、身体判定部１０５が撮影画像内に被写体の全身ありと判定した場合、撮影画像内から被写体を含む領域を切り出してトリミング画像データを生成する。
【００４０】
拡大縮小部１０７は、顔検出部１０１が検出した被写体の顔の表示領域（大きさ）に応じて、トリミング部１０６が生成したトリミング画像データに対応するトリミング画像を拡大または縮小する。
【００４１】
位置調整部１０８は、トリミング部１０６が生成したトリミング画像の下端とライブビュー画像の被写体の足先との位置を調整する。
【００４２】
画像合成部１０９は、撮像素子６が生成したライブビュー画像とトリミング部１０６が生成したトリミング画像とを並べた合成画像データを生成する。
【００４３】
ＡＥ処理部１１は、バス２６を介してＳＤＲＡＭ２３に記録された画像データを取得し、取得した画像データに基づいて、静止画撮影または動画撮影を行う際の露出条件を設定する。具体的には、ＡＥ処理部１１は、画像データから輝度成分を抽出して、被写体輝度を算出し、算出した被写体輝度に基づいて、たとえば絞り値（Ｆ値）の設定値、シャッタスピード等を決定することで撮像装置１の自動露出を行う。
【００４４】
ＡＦ処理部１２は、バス２６を介してＳＤＲＡＭ２３に記録された画像データを取得し、取得した画像データに基づいて、撮像装置１の自動焦点の調整を行う。たとえば、ＡＦ処理部１２は、画像データから、輝度成分信号について、空間周波数での高周波成分の信号を取り出し、この高周波成分の信号に対してＡＦ（Auto  Focus）演算処理、（つまり画像のコントラスト度合いを数値化して検出する）を行うことによって、撮像装置１の合焦評価を決定して、撮像装置１の自動焦点の調整を行う。
【００４５】
画像圧縮展開部１３は、バス２６を介してＳＤＲＡＭ２３から画像データを取得し、取得した画像データに対して所定の形式に従って圧縮し、この圧縮した画像データをＳＤＲＡＭ２３に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１３は、バス２６およびメモリＩ／Ｆ２１を介して記録媒体２２に記録された画像データ（圧縮画像データ）を取得し、取得した画像データを展開（伸長）してＳＤＲＡＭ２３に出力する。
【００４６】
時計１４は、計時機能および撮影日の判定機能を有する。時計１４は、撮像素子６によって生成された画像データに日時データを付加するため、制御部２７へ日時データを出力する。
【００４７】
位置取得部１５は、地上の物体の位置を測定する測定手段であるＧＰＳ（Global  Positioning  System）を構成する複数のＧＰＳ衛星から送信されてくる衛星の軌道情報を受信し、この受信した軌道情報に基づいて、撮影時における撮像装置１の位置情報を取得する。位置取得部１５は、撮像装置１の位置情報を制御部２７へ出力する。ここで、位置情報は、経度、緯度および時刻情報である。
【００４８】
外部通信部１６は、所定の無線通信規格に従って、サーバ２００と無線通信を行って画像データを含む画像ファイルを送信する。ここで、所定の無線通信規格は、ＩＥＥＥ８０２．１１ｂおよびＩＥＥＥ８０２．１１ｎ等である。なお、本実施の形態では、いずれの無線通信規格であっても適用可能である。また、外部通信部１６は、ネットワークＮを介してサーバ２００と画像ファイルやコンテンツデータ等の各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。また、外部通信部１６は、撮像装置１の起動時において、その存在を報知する識別情報（機器ＩＤ）を含む通信信号を定期的に送信する。また、外部通信部１６は、サーバ２００から送信された通信信号を受信して停止状態または待機状態から復帰し、サーバ２００との間で通信を確立する。さらに、外部通信部１６は、撮像装置１のモードが、たとえば撮影モードから再生モードまたは通信モードに切り替わった場合、停止状態または待機状態から復帰する。なお、外部通信部１６は、撮像装置１の外部から装着されるメモリカード等の記録媒体に設けられていてもよい。また、外部通信部１６は、ホットシューを介して撮像装置１に装着されるアクセサリに設けられていてもよい。
【００４９】
状態検出部１７は、撮像装置１に生じる加速度および角速度を検出することによって、撮像装置１に生じる手ブレや状態を検出し、この検出結果を制御部２７へ出力する。たとえば、状態検出部１７は、撮影者が撮像装置１を用いて撮影する際に生じる各軸の加速度および角速度を手ブレとして検出する。状態検出部１７は、各軸方向の加速度成分をそれぞれ検出する３軸の加速度センサおよびジャイロセンサ等を用いて構成される。
【００５０】
入力部１８は、撮像装置１の電源状態をオン状態またはオフ状態に切り換える電源スイッチ１８１と、静止画撮影の指示を与える静止画レリーズ信号の入力を受け付けるレリーズスイッチ１８２と、記録媒体２２が記録する画像データを削除する削除信号の入力を受け付ける削除スイッチ１８３と、撮像装置１の各種設定を切り換える操作スイッチ１８４と、撮像装置１の各種設定を表示部１９に表示させるメニュースイッチ１８５と、記録媒体２２に記録された画像データに対応する画像を表示部１９に表示させる再生スイッチ１８６と、動画撮影の指示を与える動画レリーズ信号の入力を受け付ける動画スイッチ１８７と、外部からの接触を検出し、この検出した位置に応じた位置信号の入力を受け付けるタッチパネル１８８と、を有する。
【００５１】
レリーズスイッチ１８２は、外部からの押圧により進退可能であり、半押しされた場合に撮影準備動作を指示するファーストレリーズ信号（以下、「１ｓｔレリーズ信号」という）の入力を受け付ける一方、全押しされた場合に静止画撮影を指示するセカンドレリーズ信号（以下、「２ｎｄレリーズ信号」という）の入力を受け付ける。操作スイッチ１８４は、メニュー画面等における選択設定を行う上下左右の各方向スイッチと、メニュー画面等における各方向スイッチによる操作を決定する決定スイッチ（ＯＫスイッチ）とを有する。なお、操作スイッチ１８４は、ダイヤルスイッチ等を用いて構成してもよい。
【００５２】
タッチパネル１８８は、表示部１９の表示領域に重畳して設けられ、外部からの物体のタッチを検出し、この検出したタッチ位置に応じた位置信号（座標位置を示す信号）を制御部２７に出力する。また、タッチパネル１８８は、ユーザが表示部１９で表示される情報、たとえばアイコン画像やサムネイル画像に基づいてタッチした位置（座標位置）を検出し、この検出したタッチ位置に応じて撮像装置１が行う動作を指示する指示信号や画像を選択する選択信号の入力を受け付けてもよい。一般に、タッチパネル１８８としては、抵抗膜方式、静電容量方式および光学方式等がある。本実施の形態では、いずれの方式のタッチパネルであっても適用可能である。
【００５３】
表示部１９は、液晶または有機ＥＬ（Electro  Luminescence）等からなる表示パネルを用いて構成され、撮像素子６が連続的に生成した画像データに対応するライブビュー画像を時系列に沿って表示または記録媒体２２に記録された画像データに対応する撮影画像を表示する。また、表示部１９は、撮像装置１の操作情報、撮影に関する撮影条件を設定するメニュー画面、および撮像領域内における焦点領域（ＡＦスポット）等を表示する。
【００５４】
表示駆動部２０は、バス２６を介してＳＤＲＡＭ２３に記憶された画像データまたは記録媒体２２に記録された画像データを取得し、取得した画像データに対応する画像を表示部１９に表示させる。ここで、画像の表示には、撮影直後の画像データを所定時間（たとえば３秒間）だけ表示する確認表示、記録媒体２２に記録された画像データに対応する画像を再生する再生表示、および撮像素子６が連続的に生成する画像データに対応するライブビュー画像を時系列に沿って順次表示するライブビュー表示等が含まれる。
【００５５】
記録媒体２２は、本体部２の外部から装着されるメモリカード等を用いて構成され、メモリＩ／Ｆ２１を介して本体部２に着脱自在に装着される。記録媒体２２は、画像処理部１０または画像圧縮展開部１３が処理を施した画像データを含む複数の画像ファイルを記録する、または記録された画像ファイルを出力する。なお、本実施の形態では、記録媒体２２が記録部として機能する。
【００５６】
ここで、記録媒体２２が記録する画像ファイルの構成について説明する。図３は、画像ファイルの構造の一例を示す模式図である。
【００５７】
図３に示す画像ファイルＦ１は、Ｅｘｉｆ（Exchangeable  image  file  format）に準拠したフォーマットでヘッダ情報としての画像データのメタ情報（メタ情報）を格納するヘッダ情報格納領域Ｆ１０と、画像データのサムネイル画像データＦ２１（ＪＰＥＧ形式）を格納するサムネイル画像データ格納領域Ｆ２０と、画像データを格納する画像データ格納領域Ｆ３０と、を有する。
【００５８】
ヘッダ情報格納領域Ｆ１０には、メタ情報として、少なくとも画像処理情報Ｆ１１、撮像情報Ｆ１２、被写体情報Ｆ１３、位置情報Ｆ１４、時間情報Ｆ１５、人数情報Ｆ１６、機器ＩＤ情報Ｆ１７および著作権情報Ｆ１８が格納（記録）される。
【００５９】
画像処理情報Ｆ１１は、画像データを現像する際の画像処理パラメータを記録する。
撮像情報Ｆ１２は、撮像装置１が画像データを撮像した際のレンズ部３の焦点距離、焦点位置および絞り値、並びに露出値、ＩＳＯ感度、画像データのデータサイズ、ホワイトバランスおよびシャッタスピード等を記録する。
被写体情報Ｆ１３は、顔検出部１０１が検出した被写体の顔の特徴点と、この特徴点に被写体の名前が対応付けられた個人情報を記録する。
位置情報Ｆ１４は、撮像装置１が画像データを撮像した際に、位置取得部１５が取得した位置情報を記録する。
時間情報Ｆ１５は、撮像装置１が画像データを撮像した際の撮影時刻を記録する。
人数情報Ｆ１６は、画像データに含まれる被写体の数を記録する。
機器ＩＤ情報Ｆ１７は、撮像装置１の識別情報を示す機器識別情報および製造番号等を記録する。
著作権情報Ｆ１８は、撮像装置１の所有者の情報を記録する。
関連情報Ｆ１９は、成長記録モードで使用されたことを示す情報、および撮像装置１が画像データを撮像した際の撮影シーン、たとえばポートレート、風景、夜景、子供、スポーツ、ハイキーおよびローキー等の情報を記録する。
【００６０】
サムネイル画像データ格納領域Ｆ２０には、サムネイル画像データＦ２１が格納される。
画像データ格納領域Ｆ３０には、画像データＦ３１が格納される。
【００６１】
このように、図３に示すフォーマットに従って、画像ファイルＦ１が記録媒体２２に記録される。
【００６２】
図２に戻り、本体部２の説明を続ける。
ＳＤＲＡＭ２３は、バス２６を介してＡ／Ｄ変換部９から入力された画像データ（ＲＡＷデータ）、画像処理部１０から入力された画像処理が施された画像データおよび撮像装置１の処理中の情報を一時的に記憶する。ＳＤＲＡＭ２３は、信号処理部８、Ａ／Ｄ変換部９およびバス２６を介して撮像素子６が１フレーム毎に順次出力する画像データを一時的に記憶する画像データ記憶部２３１を有する。
【００６３】
Ｆｌａｓｈメモリ２４は、撮像装置１を動作させるための各種プログラム、本実施の形態にかかるプログラムおよびプログラムの実行中に使用される各種データおよび画像処理部１０による画像処理の動作に必要な各画像処理のパラメータ等を記録する。Ｆｌａｓｈメモリ２４は、本実施の形態にかかるプログラム等を記録するプログラム記録部２４１と、画像データに対する画像に対して、被写体の顔をパターンマッチングによって用いる際の顔情報を記録する顔情報記録部２４２と、予め設定された個人毎の顔の特徴点および個人毎の誕生日データを記録する個人情報記録部２４３と、を有する。
【００６４】
本体通信部２５は、本体部２に装着されるレンズ部３に制御信号等の通信を行うための通信インターフェースである。
【００６５】
バス２６は、撮像装置１の各構成部を接続する伝送路を用いて構成される。バス２６は、撮像装置１の内部で発生した各種データを撮像装置１の各種構成部に転送するための通信経路である。
【００６６】
制御部２７は、バス２６を介して入力部１８からの指示信号またはレリーズ信号に応じて撮像装置１を構成する各部に対応する指示やデータの転送等を行って撮像装置１の動作を統括的に制御する。制御部２７は、ＣＰＵ（Central  Processing  Unit）等を用いて構成される。制御部２７は、撮像制御部２７１と、表示制御部２７２と、を有する。
【００６７】
撮像制御部２７１は、レリーズスイッチ１８２から２ｎｄレリーズ信号が入力された場合、撮像装置１における撮影動作を開始する制御を行う。ここで、撮像装置１における撮影動作とは、シャッタ駆動部５の駆動によって撮像素子６が出力した画像データに対し、信号処理部８、Ａ／Ｄ変換部９および画像処理部１０が所定の処理を施す動作をいう。このように処理が施された画像データは、撮像制御部２７１の制御のもと、画像圧縮展開部１３で圧縮され、バス２６およびメモリＩ／Ｆ２１を介して記録媒体２２に記録される。
【００６８】
表示制御部２７２は、表示部１９の表示態様を制御する。具体的には、表示制御部２７２は、表示駆動部２０を駆動し、画像処理部１０が画像処理を施した画像データに対応するライブビュー画像を表示部１９に表示させる。また、表示制御部２７２は、表示部１９の表示領域を複数の領域に分割し、この複数の領域の一つにライブビュー画像を表示させるとともに、残りの領域に画像データ取得部１０３が取得した撮影画像を表示させる。
【００６９】
以上の構成を有する本体部２に対して、音声入出力機能、フラッシュ機能および電子ビューファインダ（ＥＶＦ）等を具備させてもよい。
【００７０】
つぎに、レンズ部３の構成について説明する。レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００７１】
光学系３１は、一または複数のレンズを用いて構成され、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｏ上で移動させることにより、光学系３１のピント位置や画角等の変更を行う。
【００７２】
絞り３３は、光学系３１が集光した光の入射量を制限することにより露出の調整を行う。絞り駆動部３４は、ステッピングモータ等を用いて構成され、絞り３３を駆動する。
【００７３】
レンズ操作部３５は、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００７４】
レンズＦｌａｓｈメモリ３６は、光学系３１の位置および動きそれぞれを決定するための制御用プログラム、光学系３１のレンズ特性および各種パラメータを含むレンズ情報を記録する。
【００７５】
レンズ通信部３７は、レンズ部３が本体部２に装着されたときに、本体部２の本体通信部２５と通信を行うための通信インターフェースである。
【００７６】
レンズ制御部３８は、ＣＰＵ等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００７７】
つぎに、サーバ２００について説明する。図４は、サーバ２００の機能構成を示すブロック図である。図４に示すサーバ２００は、通信部４０１と、画像データベース４０２と、サーバ制御部４０３と、を備える。
【００７８】
通信部４０１は、所定の無線通信規格に従って、撮像装置１と通信を行って画像データを含む画像ファイルを受信または送信する。
【００７９】
画像データベース４０２は、通信部４０１およびサーバ制御部４０３を介して受信した画像ファイルを記録する。画像データベース４０２は、ＳＤＲＡＭおよびハードディスクレコード等の記録媒体を用いて構成される。画像データベース４０２は、被写体毎にフォルダ分けされた被写体画像データを有する。
【００８０】
サーバ制御部４０３は、通信部４０１を介して撮像装置１または携帯機器等の外部機器から入力されるアクセス信号に応じて、画像データベース４０２が記録する画像ファイルやコンテンツデータを通信部４０１に送信させる。
【００８１】
つぎに、撮像装置１が実行する処理について説明する。図５は、撮像装置１が実行する処理の概要を示すフローチャートである。
【００８２】
図５に示すように、まず、撮像装置１が成長記録モードに設定されている場合（ステップＳ１０１：Ｙｅｓ）について説明する。この場合、撮像制御部２７１は、撮像素子駆動部７を駆動することによって、撮像素子６に撮像を実行させる（ステップＳ１０２）。図６は、撮影者が撮像装置１を用いて撮影する際の状況を模式的に示す図である。図６に示すように、撮影者Ｕ１は、撮像装置１の表示部１９で表示されるライブビュー画像ＬＶ０を確認しながら、被写体Ｐ１に対する構図や撮影条件、たとえば絞り値、焦点距離、ピント位置、露出値、ＩＳＯ感度、ホワイトバランスおよびシャッタスピードのいずれかを入力部１８によって調整しながら撮影を行う。
【００８３】
続いて、被写体特定部１０２は、個人情報記録部２４３が記録する個人情報を参照して、撮像素子６が生成した画像データに対応するライブビュー画像内における被写体を特定する（ステップＳ１０３）。具体的には、被写体特定部１０２は、個人情報記録部２４３が記録する個人情報の特徴点を用いてパターンマッチングを行うことによって、ライブビュー画像内における被写体を特定する。なお、被写体特定部１０２は、顔検出部１０１がライブビュー画像内から検出した顔の特徴点と個人情報記録部２４３が記録する個人情報の特徴点との一致度に基づいて、被写体を特定してもよい。たとえば、被写体特定部１０２は、顔検出部１０１がライブビュー画像内から検出した顔の特徴点と個人情報記録部２４３が記録する個人情報の特徴点との一致度が８０％以上超える被写体を特定する。
【００８４】
その後、画像合成部１０９は、入力部１８から入力される指示信号に応じて、記録媒体２２に記録された複数の撮影画像データと最新の画像データとを用いて合成画像データを生成する際の合成方向を設定する（ステップＳ１０４）。具体的には、画像合成部１０９は、入力部１８から入力される指示信号に応じて、日付データが最も古い画像を左から順に合成する合成方向を設定したり、日付データが最も古い画像を右から順に合成する合成方向を設定したり、日付データが最も古い画像を上から順に合成する合成方向を設定したりする。
【００８５】
続いて、撮像装置１は、記録媒体２２に記録された複数の撮影画像データの中から被写体特定部１０２によって特定された被写体が撮影された撮影画像データを選択する被写体写真選択処理を実行する（ステップＳ１０５）。
【００８６】
図７は、図５のステップＳ１０５の被写体画像選択処理の概要を示したフローチャートである。図７に示すように、まず、被写体特定部１０２は、ライブビュー画像内で特定した被写体と、記録媒体２２に記録された被写体毎にそれぞれフォルダ分けされて画像ファイルに格納された撮影画像データに対応する撮影画像とを比較する（ステップＳ２０１）。具体的には、被写体特定部１０２は、ライブビュー画像内で特定した被写体の特徴点と、記録媒体２２に記録された被写体毎にそれぞれフォルダ分けされた画像ファイルに格納された撮影画像データに対応する撮影画像の被写体の特徴点とを比較する。なお、被写体特定部１０２は、ライブビュー画像内で特定した被写体の特徴点と、記録媒体２２に記録された被写体毎にそれぞれフォルダ分けされた画像ファイルのヘッダ情報に格納されたメタ情報の被写体情報の特徴点とを比較してもよい。
【００８７】
続いて、被写体特定部１０２がライブビュー画像内で特定した被写体と一致するフォルダが記録媒体２２にある場合（ステップＳ２０２：Ｙｅｓ）、画像データ取得部１０３は、被写体特定部１０２がライブビュー画像内で特定した被写体と一致したフォルダ内の各画像ファイルに格納された撮影画像データに対応する撮影画像を検索する（ステップＳ２０３）。ステップＳ２０３の後、撮像装置１は、後述するステップＳ２０５へ移行する。
【００８８】
ステップＳ２０２において、被写体特定部１０２がライブビュー画像内で特定した被写体と一致するフォルダが記録媒体２２にない場合（ステップＳ２０２：Ｎｏ）、画像データ取得部１０３は、バス２６および外部通信部１６を介してサーバ２００と通信を行い、被写体特定部１０２がライブビュー画像内で特定した被写体と一致する撮影画像データを格納した画像ファイルを画像データベース４０２から取得する（ステップＳ２０４）。この場合において、画像データ取得部１０３は、画像データベース４０２内に被写体特定部１０２が特定した被写体と一致する撮影画像データを格納した画像ファイルが複数記録されているとき、画像ファイルのヘッド情報に記録された撮影日時データが所定の間隔、たとえば６ヶ月毎または１年毎になるように画像ファイルを取得し、取得した画像ファイルを画像データ記憶部２３１に記憶する。ステップＳ２０４の後、撮像装置１は、後述するステップＳ２０５へ移行する。
【００８９】
ステップＳ２０３またはステップＳ２０４の後、被写体特定部１０２がライブビュー画像内で特定した被写体と一致したフォルダ内に、成長記録モードで編集した画像ファイルがある場合（ステップＳ２０５：Ｙｅｓ）、表示制御部２７２は、被写体特定部１０２がライブビュー画像内で特定した被写体と一致したフォルダ内に格納された複数の画像ファイルのうち優先的に成長記録モードで編集した画像ファイルに格納された撮影画像データに対応する撮影画像を表示部１９に表示させる（ステップＳ２０６）。具体的には、表示制御部２７２は、ヘッダ情報に成長記録モードで編集されたことを示す関連情報が記録された画像ファイルに格納された撮影画像データに対応する撮影画像を表示部１９に複数表示させる。たとえば、表示制御部２７２は、成長記録モードで編集された撮影画像の一覧を表示部１９に表示させる。この場合、表示制御部２７２は、個人情報記録部２４３が記録する個人情報を参照して、被写体特定部１０２が特定した被写体の誕生日付近の撮影画像であって、互いに異なる西暦の撮影画像を優先的に表示部１９に表示させる。ステップＳ２０６の後、撮像装置１は、後述するステップＳ２１７へ移行する。
【００９０】
ステップＳ２０５において、被写体特定部１０２がライブビュー画像内で特定した被写体と一致したフォルダ内に、成長記録モードで編集した画像ファイルがない場合（ステップＳ２０５：Ｎｏ）、年齢推定部１０４は、画像ファイルに格納された撮影画像データに対応する撮影画像の被写体の年齢を推定する（ステップＳ２０７）。具体的には、年齢推定部１０４は、個人情報記録部２４３に記録された被写体の誕生日データと画像ファイルのヘッダ情報に記録された撮影日時データとに基づいて、画像ファイル内の撮影画像の被写体の年齢を推定する。
【００９１】
続いて、顔検出部１０１は、顔情報記録部２４２が記録する顔情報を参照し、パターンマッチングによって撮影画像内の被写体の顔を検出する（ステップＳ２０８）。
【００９２】
その後、年齢推定部１０４が推定した被写体の年齢が１歳以上である場合（ステップＳ２０９：Ｙｅｓ）、身体判定部１０５は、顔検出部１０１が検出した被写体の顔の大きさと年齢推定部１０４が推定した被写体の推定年齢とに基づいて、被写体の身体を判定する（ステップＳ２１０）。
【００９３】
図８は、身体判定部１０５による被写体の身体を判定する判定方法の概要を示す模式図である。身体判定部１０５は、顔検出部１０１が検出した被写体Ｍ１の顔Ｑ１の大きさと年齢推定部１０４が推定した被写体Ｍ１の推定年齢とに基づいて、被写体Ｍ１の顔Ｑ１の大きさを基準に、被写体Ｍ１の顔Ｑ１から足先Ｑ２までの全身の長さを推定する。
【００９４】
たとえば、図８に示すように、身体判定部１０５は、年齢推定部１０４が被写体Ｍ１の年齢を４歳と推定した場合、顔検出部１０１が検出した被写体Ｍ１の顔Ｑ１の大きさを基準に、被写体Ｍ１の全身を５頭身として推定する。なお、以下においては、頭と全身との人体比率を０歳〜１歳で４頭身、４歳で５頭身、８歳で６頭身半、１２歳で７頭身、１６歳で７頭身半、１８歳（成人）で８頭身および老人で７頭身とするが、人種、年齢および性別等によって適宜変更することができる。
【００９５】
その後、身体判定部１０５は、推定した被写体Ｍ１の全身と画像内の被写体Ｍ１とを比較し、ほぼ一致する場合、被写体Ｍ１の全身ありと判定する一方、一致しない場合（短い場合）被写体Ｍ１が画像内から見切れている、あるいは立っていないと判定し、被写体画像群の中から選択対象外とする。
【００９６】
なお、身体判定部１０５は、顔検出部１０１が胴体、手足および顔を全部検出した場合、被写体の全身ありと判定してもよい。この被写体の全身ありと判定した場合において、身体判定部１０５は、頭から足先までの長さと年齢推定部１０４が推定した年齢の身長と比較し、大きくことなる場合（たとえば±１０％を超える場合）、被写体が立っていないと判定し、被写体画像群の中から選択対象外とする。
【００９７】
図９は、身体判定部１０５による被写体の身体の別の検出方法の概要を示す模式図である。図９に示すように、身体判定部１０５は、顔検出部１０１が検出した被写体Ｍ１の顔Ｑ１の大きさと年齢推定部１０４が推定した被写体Ｍ１の推定年齢とに基づいて、被写体Ｍ１の足先Ｑ２と地面との境界を推定する。
【００９８】
たとえば、図９に示すように、身体判定部１０５は、年齢推定部１０４が被写体Ｍ１の年齢を４歳と推定した場合、顔検出部１０１が検出した被写体Ｍ１の顔Ｑ１の大きさを基準に、被写体Ｍ１の全身を５頭身として推定する。
【００９９】
その後、身体判定部１０５は、推定した身長分（５頭身）を顔Ｑ１から鉛直方向に下ろした位置の色と、顔Ｑ１から水平方向に複数個分顔（１頭身）の大きさをずらした位置から垂直方向に身長分（５頭身）下ろした位置の色と、を比較し、ほぼ同じ色の場合は、被写体Ｍ１の足先Ｑ２と地面Ｇ１との境界ありと判定し、被写体Ｍ１の全身ありと判定する。
【０１００】
これに対して、図１０に示すように、身体判定部１０５は、身体判定部１０５は、顔Ｑ１から鉛直方向に下ろした位置の色が推定した被写体Ｍ１身長分よりも顔Ｑ１に近く、連続的に連なっている場合、被写体Ｍ１がしゃがんでいる、あるいは画像内から見切れていると判断し、被写体画像群の中から選択対象外とする。
【０１０１】
このように、身体判定部１０５は、上述した２つの判定方法のどちらか一方、または２つの判定方法を適宜合わせながら被写体の全身を判定する。
【０１０２】
図７に戻り、ステップＳ２１１以降の説明を続ける。
ステップＳ２１１において、身体判定部１０５が被写体の全身ありと判定した場合（ステップＳ２１１：Ｙｅｓ）、表示制御部２７２は、身体判定部１０５が被写体の全身ありと判定された画像ファイルの画像データに対応する撮影画像を表示部１９に表示させる（ステップＳ２１２）。
【０１０３】
続いて、フォルダ内の全画像ファイルが終了した場合（ステップＳ２１３：Ｙｅｓ）、撮像装置１は、後述するステップＳ２１７へ移行する。これに対して、フォルダ内の全画像ファイルが終了していない場合（ステップＳ２１３：Ｎｏ）、制御部２７は、フォルダ内の次の画像ファイルに切り換える（ステップＳ２１４）。ステップＳ２１４の後、撮像装置１は、ステップＳ２０７へ戻る。
【０１０４】
ステップＳ２１１において、身体判定部１０５が被写体の全身ありと判定していない場合（ステップＳ２１１：Ｎｏ）、撮像装置１は、ステップＳ２１４へ移行する。
【０１０５】
ステップＳ２０９において、年齢推定部１０４が推定した被写体の年齢が１歳以上でない場合（ステップＳ２０９：Ｎｏ）、撮像装置１は、ステップＳ２１５へ移行する。
【０１０６】
続いて、身体判定部１０５は、赤ちゃんと推定される被写体の身体を判定する（ステップＳ２１５）。
【０１０７】
図１１は、身体判定部１０５による被写体としての赤ちゃんの全身を判定する判定方法であり、赤ちゃんがおくるみに包まれている際の判定方法の概要を示す模式図である。図１１に示すように、身体判定部１０５は、顔検出部１０１が検出した被写体Ｍ２の顔Ｑ１１、顔検出部１０１が検出した被写体Ｍ２の目線Ｂ１および年齢推定部１０４が推定した年齢に基づいて、被写体Ｍ２の顔Ｑ１１の大きさを基準に、被写体Ｍ２の顔Ｑ１１から足先Ｑ２１までの全身の長さを推定する。具体的には、身体判定部１０５は、年齢推定部１０４が被写体Ｍ２の年齢を１歳以上でないと推定した場合（赤ちゃんであると推定した場合）、顔検出部１０１が検出した被写体Ｍ２の顔Ｑ１１の大きさを基準に、被写体Ｍ２の全身を４頭身として推定する。そして、身体判定部１０５は、顔検出部１０１が検出した被写体Ｍ２の目線Ｂ１と直交する方向であって、被写体Ｍ１１の目線Ｂ１１から顎に向かう方向Ｈ１に対して顔Ｑ１１から４頭身を被写体Ｍ２の全身として判定する。
【０１０８】
図１２は、身体判定部１０５による被写体としての赤ちゃんの全身の判定方法であり、赤ちゃんが抱っこされている際の判定方法の概要を示す模式図である。図１２に示すように、身体判定部１０５は、上述した図１１と同様の方法で被写体の全身を判定する。
【０１０９】
図１３は、身体判定部１０５による被写体としての赤ちゃんの全身を判定する判定方法であり、赤ちゃんが正面を向いた状態で抱っこされている際の判定方法の概要を示す模式図である。図１３に示すように、身体判定部１０５は、年齢推定部１０４が被写体Ｍ２の年齢を１歳以上でないと推定した場合（赤ちゃんであると推定した場合）、顔検出部１０１が検出した被写体Ｍ２の顔Ｑ１１の大きさを基準に、被写体Ｍ２の全身を４頭身として推定し、顔Ｑ１１から鉛直方向下向きに４頭身を被写体Ｍ２の全身として判定する。
【０１１０】
図１４は、身体判定部１０５による被写体としての赤ちゃんの全身を判定する判定方法であり、赤ちゃんが顔を横に向けた状態でハイハイしている際の判定方法の概要を示す模式図である。図１４に示すように、身体判定部１０５は、年齢推定部１０４が被写体Ｍ２の年齢を１歳以上でないと推定した場合（赤ちゃんであると推定した場合）、顔検出部１０１が検出した被写体Ｍ２の顔Ｑ１１の大きさを基準に、被写体Ｍ２の全身を４頭身として推定し、顔検出部１０１が検出した目線Ｂ１が下向きのとき、被写体Ｍ２の後頭部方向に向けて顔Ｑ１１から４頭身を被写体Ｍ２の全身として判定する。
【０１１１】
図１５は、身体判定部１０５による被写体としての赤ちゃんの全身を判定する判定方法であり、赤ちゃんが正面を向いた状態でハイハイしている際の判定方法の概要を示す模式図である。図１５に示すように、身体判定部１０５は、年齢推定部１０４が被写体Ｍ２の年齢を１歳以上でないと推定した場合（赤ちゃんであると推定した場合）において、顔検出部１０１によって被写体Ｍ２の顔Ｑ１１が正面を向いていると検出したとき、顔検出部１０１が検出した被写体Ｍ２の顔Ｑ１１の大きさを基準に、被写体Ｍ２の全身を２頭身として推定し、顔Ｑ１１から垂直方向下向きに２頭身を被写体Ｍ２の全身として判定する。
【０１１２】
このように、身体判定部１０５は、年齢推定部１０４が被写体Ｍ２の年齢を１歳以上でないと推定した場合（赤ちゃんであると推定した場合）、複数の判定方法によって被写体の全身を判定する。
【０１１３】
図７に戻り、ステップＳ２１６以降の説明を続ける。
ステップＳ２１６において、身体判定部１０５によって被写体の全身が検出された場合（ステップＳ２１６：Ｙｅｓ）、撮像装置１は、ステップＳ２１２へ移行する。これに対して、身体判定部１０５によって被写体の全身が検出されていない場合（ステップＳ２１６：Ｎｏ）、撮像装置１は、ステップＳ２１４へ移行する
【０１１４】
ステップＳ２１７において、操作スイッチ１８４またはタッチパネル１８８を介して表示部１９が表示する複数の撮影画像の中から成長記録モードで合成する撮影画像が選択された場合（ステップＳ２１７：Ｙｅｓ）、撮像装置１は、後述するステップＳ２１８へ移行する。これに対して、操作スイッチ１８４またはタッチパネル１８８を介して表示部１９が表示する複数の撮影画像の中から成長記録モードで合成する撮影画像が選択されていない場合（ステップＳ２１７：Ｎｏ）、撮像装置１は、後述するステップＳ２２０へ移行する。
【０１１５】
ステップＳ２１８において、制御部２７は、選択された撮影画像の数をＳＤＲＡＭ２３に記憶する。
【０１１６】
続いて、トリミング部１０６は、操作スイッチ１８４またはタッチパネル１８８を介して選択された各撮影画像内における被写体の全身を含む領域を切り出すトリミング処理を行う（ステップＳ２１９）。この場合、トリミング部１０６は、選択された各撮影画像から被写体特定部１０２が特定した被写体の全身を含む領域を切り出してトリミング画像データを生成し、この生成したトリミング画像データをＳＤＲＡＭ２３に記憶する。具体的には、トリミング部１０６は、被写体特定部１０２が撮影画像内で特定した被写体に対して、顔検出部１０１が検出した被写体の顔の大きさを基準に、年齢推定部１０４が推定した被写体の年齢によって推定される全身を含む領域を切り出してトリミング画像データを生成する。ステップＳ２１４の後、撮像装置１は、図５のメインルーチンへ戻る。
【０１１７】
ステップＳ２２０において、制御部２７は、被写体画像選択を中止する指示信号が入力されたか否かを判断する。たとえば、制御部２７は、タッチパネル１８８を介してライブビュー画像上に重畳して表示された被写体画像選択の中止を指示するアイコンがタッチされることによって、被写体画像選択を中止する指示信号が入力されたか否かを判断する。制御部２７が被写体画像選択を中止する指示信号が入力されたと判断した場合（ステップＳ２２０：Ｙｅｓ）、撮像装置１は、図５のメインルーチンへ戻る。これに対して、制御部２７が被写体画像選択を中止する指示信号が入力されていないと判断した場合（ステップＳ２２０：Ｎｏ）、撮像装置１は、ステップＳ２０５へ戻る。
【０１１８】
図５に戻り、ステップＳ１０６以降の説明を続ける。
ステップＳ１０６において、ＳＤＲＡＭ２３に合成対象画像（トリミング画像データ）がある場合（ステップＳ１０６：Ｙｅｓ）、表示制御部２７２は、ＳＤＲＡＭ２３に記憶された成長記録モードで合成する際の合成画像数ｎを取得する（ステップＳ１０７）。
【０１１９】
続いて、撮像装置１は、合成対象画像のトリミング画像およびライブビュー画像それぞれの被写体の位置を調整するとともに、合成対象画像のトリミング画像およびライブビュー画像の拡大率を設定する合成対象画像位置拡大率設定処理を実行する（ステップＳ１０８）。
【０１２０】
図１６は、図５のステップＳ１０８の合成対象画像位置拡大率設定処理の概要を示すフローチャートである。図１６に示すように、まず、ＳＤＲＡＭ２３に成長記録モードで合成する合成対応画像の元画像がある場合（ステップＳ３０１：Ｙｅｓ）、画像合成部１０９は、ライブビュー画像に基づいて、位置調整部１０８および拡大縮小部１０７それぞれが被写体の間隔、位置および拡大率を調整した元画像を用いて、位置および拡大率の再調整を行う（ステップＳ３０２）。ステップＳ３０２の後、撮像装置１は、図５のメインルーチンへ戻る。
【０１２１】
ステップＳ３０１において、ＳＤＲＡＭ２３に成長記録モードで合成する合成対応画像の元画像がない場合（ステップＳ３０１：Ｎｏ）、撮像装置１は、ステップＳ３０３へ移行する。
【０１２２】
続いて、位置調整部１０８は、顔検出部１０１が各トリミング画像およびライブビュー画像それぞれで検出した被写体の顔の中心位置を検出し（ステップＳ３０３）、ライブビュー画像の顔の中心位置と各トリミング画像の顔の中心位置の間隔を検出する（ステップＳ３０４）。
【０１２３】
その後、表示制御部２７２は、表示部１９の表示領域を、選択された撮影画像の数ｎ＋１分割し、この分割した複数の表示領域それぞれに各トリミング画像とライブビュー画像とを表示部１９に表示させる（ステップＳ３０５）。
【０１２４】
続いて、位置調整部１０８および拡大縮小部１０７は、分割された表示領域の範囲で各トリミング画像とライブビュー画像の位置および拡大率を調整する（ステップＳ３０６）。その後、撮像装置１は、図５のメインルーチンへ戻る。
【０１２５】
図１７は、トリミング画像の選択枚数ｎ＝１の場合において、表示部１９に表示される画像の一例を示す図である。図１７に示すように、表示制御部２７２は、表示部１９の表示領域を２分割し、一方に上述した被写体画像選択処理で選択されたトリミング画像Ｐ１を表示させるとともに、他方にライブビュー画像ＬＶ１を表示部１９に表示させる（図１７（ａ））。
【０１２６】
その後、表示制御部２７２は、拡大縮小部１０７が年齢推定部１０４によって推定されたライブビュー画像ＬＶ１の被写体の年齢に基づいて、拡大率を調整し、かつ位置調整部１０８が被写体Ｍ１１の最下部と被写体Ｍ１２の最下部とが直線Ｌ１で一致するように調整した画像Ｇ１を表示部１９に表示させる（図１７（ａ）→図１７（ｂ））。この場合、拡大縮小部１０７は、できるだけ各画像の被写体を比較したいので、小さい被写体（撮影日時が古い）が拡大されるようにトリミング画像Ｐ１を拡大する。このとき、位置調整部１０８は、年齢推定部１０４が推定した年齢、顔検出部１０１が検出した顔の大きさおよび顔検出部１０１が検出した目線に基づいて、被写体の全身を判定し、この判定結果に応じて位置を調整する。
【０１２７】
図１８は、トリミング画像の選択枚数ｎ＝２の場合において、表示部１９に表示される画像の一例を示す図である。図１８に示すように、表示制御部２７２は、表示部１９の表示領域を３分割し、２つの表示領域Ｐ１，Ｐ２に上述した被写体画像選択処理で選択されたトリミング処理された２つのトリミング画像Ｔ１，Ｔ２を表示させるとともに、残りの表示領域にライブビュー画像ＬＶ２を表示させる（図１８（ａ））。この際、トリミング画像Ｔ１の中心とトリミング画像Ｔ２の中心との距離は、長さがＤ１で表示され、トリミング画像Ｔ２の中心とライブビュー画像ＬＶ２の被写体Ｍ１３の中心との距離は、長さがＤ２で表示される（Ｄ１＜Ｄ２）。
【０１２８】
その後、拡大縮小部１０７は、トリミング画像Ｔ１の中心、トリミング画像Ｔ２の中心およびライブビュー画像ＬＶ２の中心が同じ間隔（Ｄ３）で表示されるように、トリミング画像Ｔ１およびトリミング画像Ｔ２をそれぞれ拡大または縮小する（Ｄ１＜Ｄ２＜Ｄ３）。この際、位置調整部１０８は、トリミング画像Ｔ１の下端、トリミング画像Ｔ２の下端およびライブビュー画像ＬＶ２の被写体Ｍ１３の足先Ｑ１３が直線Ｌ１上に位置するように調整する（図１８（ａ）→図１８（ｂ））。その後、表示制御部２７２は、拡大縮小部１０７および位置調整部１０８が拡大率および位置を調整した画像Ｇ２を表示部１９に表示させる。これにより、被写体の成長を直感的に把握することができるとともに、リアルタイムに現在の子供と過去の子供とを比較することができる。
【０１２９】
図１９は、トリミング画像の選択枚数ｎ＝４の場合において、表示部１９に表示される画像の一例を示す図である。図１９に示すように、表示制御部２７２は、表示部１９の表示領域を５分割し、４つの表示領域Ｐ１〜Ｐ４に上述した被写体画像選択処理で選択されたトリミング画像Ｐ１〜Ｐ４を表示させるとともに、残りの表示領域にライブビュー画像ＬＶ３を表示させる（図１９（ａ））。この際、拡大縮小部１０７および位置調整部１０８は、上述した方法で、トリミング画像を拡大または縮小するとともに、各被写体Ｍ１１〜Ｍ１５の位置を調整する（図１９（ａ）→図１９（ｂ））。その後、表示制御部２７２は、拡大縮小部１０７および位置調整部１０８が拡大率および位置を調整した画像Ｇ＃を表示部１９に表示させる。
【０１３０】
図５に戻り、ステップＳ１０９以降の説明を続ける。
ステップＳ１０９において、表示制御部２７２は、表示部１９の表示領域をｎ＋１分割して合成最新領域にライブビュー画像を縮小して表示するとともに、残りの各領域に合成対象画像（トリミング画像）を表示させる（ステップＳ１０９）。具体的には、図２０に示すように、表示制御部２７２は、ライブビュー画像および合成対象画像を表示部１９に表示させる。この場合、表示制御部２７２は、成長記録モードであることを示す情報、たとえばアイコンＡ１を表示部１９に重畳して表示させる。アイコンＡ１には、被写体の撮影方向をアドバスする情報、たとえば絵や文字が含まれる。具体的には、アイコンＡ１は、被写体を横向きで撮影を指示する。これにより、撮影者は、撮像装置１で成長記録モードに適した撮影を行うことができる。
【０１３１】
続いて、レリーズスイッチ１８２からレリーズ信号が入力された場合（ステップＳ１１０：Ｙｅｓ）、撮像制御部２７１は、撮像素子６に撮影を実行させる（ステップＳ１１１）。
【０１３２】
続いて、画像合成部１０９は、撮像素子６が生成した画像データ（静止画画像データ）と、各トリミング画像データとを合成した合成画像データを生成する（ステップＳ１１２）。具体的には、画像合成部１０９は、画像データに対応する画像（静止画画像）と各トリミング画像とを並べた合成画像データを生成する（図２０を参照）。
【０１３３】
その後、撮像制御部２７１は、画像合成部１０９が生成した合成画像データと、画像合成部１０９が合成した際の各トリミング画像の位置、拡大率および各トリミング画像を生成した撮影画像を識別する識別情報等の画像情報を含む合成情報としてのメタ情報とを対応付けて画像ファイルを記録媒体２２に記録する（ステップＳ１１３）。なお、撮像制御部２７１は、撮像素子６が生成した画像データと、各トリミング画像を生成した撮影画像の識別情報および合成画像である旨を示す識別情報としてのメタ情報とを対応付けた画像ファイルを記録媒体２２に記録してもよい。
【０１３４】
続いて、電源スイッチ１８１が操作され、撮像装置１の電源がオフになった場合（ステップＳ１１４：Ｙｅｓ）、撮像装置１は、本処理を終了する。これに対して、電源スイッチ１８１が操作されず、撮像装置１の電源がオフになっていない場合（ステップＳ１１４：Ｎｏ）、撮像装置１は、ステップＳ１０１へ戻る。
【０１３５】
ステップＳ１０６において、記録媒体２２に合成対象画像がない場合（ステップＳ１０６：Ｎｏ）、撮像装置１は、後述するステップＳ１１７へ移行する。
【０１３６】
ステップＳ１１０において、レリーズスイッチ１８２からレリーズ信号が入力されていない場合（ステップＳ１１０：Ｎｏ）、撮像装置１は、ステップＳ１１４へ移行する。
【０１３７】
ステップＳ１０１において、撮像装置１に成長記録モードが設定されていない場合（ステップＳ１０１：Ｎｏ）について説明する。この場合において、撮像装置１に撮影モードが設定されているとき（ステップＳ１１５：Ｙｅｓ）、撮像制御部２７１は、撮像素子駆動部７を駆動することによって、撮像素子６に撮像を実行させる（ステップＳ１１６）。
【０１３８】
続いて、表示制御部２７２は、撮像素子６が生成した画像データに対応するライブビュー画像を表示部１９に表示させる（ステップＳ１１７）。
【０１３９】
その後、レリーズスイッチ１８２からレリーズ信号が入力された場合（ステップＳ１１８：Ｙｅｓ）、撮像制御部２７１は、撮像素子６に撮影を実行させる（ステップＳ１１９）。
【０１４０】
続いて、被写体特定部１０２は、撮像素子６が生成した画像データに対応する静止画画像内の被写体を特定する（ステップＳ１２０）。
【０１４１】
その後、撮像制御部２７１は、撮像素子６が生成した画像データと、少なくとも被写体特定部１０２が特定したメタ情報としての被写体情報とを対応付けた画像ファイルを被写体毎にフォルダ分けして記録媒体２２に記録する（ステップＳ１２１）。なお、撮像制御部２７１は、被写体特定部１０２が特定したメタ情報として被写体情報と画像データとを対応付けた画像ファイルを記録媒体２２に記録するだけでもよい。ステップＳ１２１の後、撮像装置１は、ステップＳ１１４へ移行する。
【０１４２】
ステップＳ１１８において、レリーズスイッチ１８２からレリーズ信号が入力されていない場合（ステップＳ１１８：Ｎｏ）、撮像装置１は、ステップＳ１１４へ移行する。
【０１４３】
ステップＳ１１５において、撮像装置１に撮影モードが設定されていないとき（ステップＳ１１５：Ｎｏ）、撮像装置１は、ステップＳ１２２へ移行する。
【０１４４】
続いて、撮像装置１に再生モードが設定されている場合（ステップＳ１２２：Ｙｅｓ）、撮像装置１は、記録媒体２２に記録された画像データを再生する再生表示処理を実行する（ステップＳ１２３）。ステップＳ１２３の後、撮像装置１は、ステップＳ１１４へ移行する。
【０１４５】
ステップＳ１２２において、撮像装置１に再生モードが設定されていない場合（ステップＳ１２２：Ｎｏ）、撮像装置１は、ステップＳ１１４へ移行する。
【０１４６】
以上説明した本発明の一実施の形態によれば、表示制御部２７２が表示部１９の表示領域を複数の領域に分割し、この複数の領域の一つにライブビュー画像を表示させるとともに、残りの領域に画像データ取得部１０３が取得した撮影画像データに対応する撮影画像を表示させるので、過去に撮影した被写体と同じ現在の被写体とをリアルタイムで比較することができる。
【０１４７】
また、本発明の一実施の形態によれば、表示制御部２７２が入力部１８を介して選択された撮影画像の数に、ライブビュー画像を加算した値になるように表示部１９の表示領域を分割するので、所望の枚数で子供の成長を把握することができる。
【０１４８】
また、本発明の一実施の形態によれば、表示制御部２７２が表示部１９の表示領域における幅方向の長さを均等に分割するので、より直感的に子供の成長を把握することができる。
【０１４９】
また、本発明の一実施の形態によれば、表示制御部２７２がトリミング部１０６によって生成されたトリミング画像を表示部１９に表示させるので、過去に被写体が撮影された撮影画像をより多く表示部１９に表示させることができる。
【０１５０】
また、本発明の一実施の形態によれば、表示部１９がライブビュー画像およびトリミング画像を表示している場合において、レリーズスイッチ１８２からレリーズ信号が入力されたとき、画像合成部１０９がライブビュー画像およびトリミング画像を並べて合成した合成画像データを生成する。これにより、一つの画像データとして記録することができる。
【０１５１】
また、本発明の一実施の形態によれば、表示制御部２７２が拡大縮小部１０７によって拡大または縮小されたトリミング画像を表示部１９に表示させるので、トリミング画像に写る被写体が小さくても、拡大された状態で確認することができる。
【０１５２】
また、本発明の一実施の形態によれば、トリミング部１０６が身体判定部１０５によって全身ありと判定された撮影画像内から被写体を含む領域を切り出してトリミング画像データを生成する。これにより、表示制御部２７２が表示部１９に表示させるトリミング画像で子供の成長をより把握することができる。
【０１５３】
なお、本発明の一実施の形態では、表示制御部２７２は、トリミング画像の日時データが古い順に左側から表示させていたが、たとえば、図２１に示すように、トリミング画像の日時データが新しい順に左側から表示させてもよい。
【０１５４】
また、本発明の一実施の形態では、表示制御部２７２は、表示部１９の表示領域を所定の間隔で均等に分割していたが、たとえば、図２２に示すように、表示部１９の表示領域を、日時データが古いトリミング画像Ｐ１から新しいトリミング画像Ｐ４に向かうにつれて段階的に大きくなるように表示させてもよい。
【０１５５】
また、本発明にかかる撮像装置は、携帯可能なデジタルカメラ以外にも、撮像機能を有する据え置き型の警備装置またはインターホンにも適用することができる。この場合、たとえば、ユーザがインターホンを押す毎に、ユーザに対して撮影を行い、画像データを順次記録することで実現することができる。
【０１５６】
また、本発明にかかる撮像装置は、携帯可能なデジタルカメラ以外にも、撮像機能を有するパーソナルコンピュータ、フォトストレージ、デジタルフォトフレームおよび携帯型タブレットにも適用することができる。この場合、たとえば、ユーザがパーソナルコンピュータを起動する毎に、ユーザに対して撮影を行い、画像データを順次記録することで実現することができる。
【０１５７】
また、本発明にかかる撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。もちろん、撮影、または、表示を行う際に、対象物（患者や被測定物）の変化を比較する機能を持つ、医療用機器、産業用機器においても適用可能であることは言うまでもない。画面上で直感的に比較可能であり、検査などの結果を気づかせるために有効な表現方法となる。特に、比較数を増加させた場合に、効果を発揮する。同じ対象物の変化でなくとも、順次撮影するような場合なら、何にでも対応可能である。さらに、タイムラプスにも適用することができる。
【０１５８】
また、本発明にかかる撮像装置に実行させるプログラムは、インストール可能な形式又は実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１５９】
また、本発明にかかる撮像装置に実行させるプログラムは、インターネット等のネットワークに接続されたコンピュータ上に格納し、ネットワーク経由でダウンロードさせることにより提供するように構成しても良い。さらに、本発明にかかる撮像装置に実行させるプログラムをインターネット等のネットワーク経由で提供または配布するように構成しても良い。
【０１６０】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１６１】
このように、本発明は、ここでは記載していない様々な実施の形態を含みうるものであり、特許請求の範囲によって特定される技術的思想の範囲内で種々の設計変更等を行うことが可能である。
【符号の説明】
【０１６２】
１  撮像装置
２  本体部
３  レンズ部
４  シャッタ
５  シャッタ駆動部
６  撮像素子
７  撮像素子駆動部
８  信号処理部
９  Ａ／Ｄ変換部
１０  画像処理部
１１  ＡＥ処理部
１２  ＡＦ処理部
１３  画像圧縮展開部
１４  時計
１５  位置取得部
１６  外部通信部
１７  状態検出部
１８  入力部
１９  表示部
２０  表示駆動部
２１  メモリＩ／Ｆ
２２  記録媒体
２３  ＳＤＲＡＭ
２４  Ｆｌａｓｈメモリ
２５  本体通信部
２６  バス
２７  制御部
３１  光学系
３２  レンズ駆動部
３３  絞り
３４  絞り駆動部
３５  レンズ操作部
３６  レンズＦｌａｓｈメモリ
３７  レンズ通信部
３８  レンズ制御部
１００  画像生成システム
１０１  顔検出部
１０２  被写体特定部
１０３  画像データ取得部
１０４  年齢推定部
１０５  身体判定部
１０６  トリミング部
１０７  拡大縮小部
１０８  位置調整部
１０９  画像合成部
２００  サーバ
２３１  画像データ記憶部
２４１  プログラム記録部
２４２  顔情報記録部
２４３  個人情報記録部
２７１  撮像制御部
２７２  表示制御部
４０１  通信部
４０２  画像データベース
４０３  サーバ制御部
【図１】
2015037219.tif 000003
【図２】
2015037219.tif 000004
【図３】
2015037219.tif 000005
【図４】
2015037219.tif 000006
【図５】
2015037219.tif 000007
【図６】
2015037219.tif 000008
【図７】
2015037219.tif 000009
【図８】
2015037219.tif 000010
【図９】
2015037219.tif 000011
【図１０】
2015037219.tif 000012
【図１１】
2015037219.tif 000013
【図１２】
2015037219.tif 000014
【図１３】
2015037219.tif 000015
【図１４】
2015037219.tif 000016
【図１５】
2015037219.tif 000017
【図１６】
2015037219.tif 000018
【図１７】
2015037219.tif 000019
【図１８】
2015037219.tif 000020
【図１９】
2015037219.tif 000021
【図２０】
2015037219.tif 000022
【図２１】
2015037219.tif 000023
【図２２】
2015037219.tif 000024